(57)【要約】【課題】自然光を採光空間に取り入れることができながら、採光空間への外気の給気も適切に行うこと。【解決手段】屋外から自然光を取り入れて屋内の採光空間３に採光可能な採光ダクト４が備えられ、採光ダクト４は、屋外と採光空間３ａとを空気流通可能に連通して、外気を採光空間３ａに給気可能に構成され、採光ダクト４における採光空間側の連通部８ａには、光透過性を有し、採光空間３ａから採光ダクト４への空気の逆流を防止する逆流防止機構１０が備えられている。【選択図】図１
2020002536.tif 000002
【特許請求の範囲】
【請求項１】
屋外から自然光を取り入れて屋内の採光空間に採光可能な採光ダクトが備えられ、
前記採光ダクトは、屋外と採光空間とを空気流通可能に連通して、外気を採光空間に給気可能に構成され、
前記採光ダクトにおける採光空間側の連通部には、光透過性を有し、採光空間から前記採光ダクトへの空気の逆流を防止する逆流防止機構が備えられている採光・給気システム。
【請求項２】
前記逆流防止機構は、光透過性を有し、採光空間に開口する給気吹出口に空気を流通させる流通路を形成する流通路形成部材と、前記流通路を閉塞可能な逆止弁とが備えられている請求項１に記載の採光・給気システム。
【請求項３】
前記採光ダクトは、複数の採光空間に連通自在に備えられ、
前記採光ダクトにおける複数の採光空間の夫々に対する連通部に、前記逆流防止機構が備えられている請求項１又は２に記載の採光・給気システム。
【請求項４】
前記採光ダクトは、給気対象の採光空間に対して連通し、且つ、非給気対象の採光空間に対して連通しない状態で備えられ、
前記採光ダクトにおける給気対象の採光空間に対する連通部に、前記逆流防止機構が備えられている請求項１〜３の何れか１項に記載の採光・給気システム。
【請求項５】
前記採光ダクトには、自然光を取り入れる光取入口と外気を取り入れる外気取入口とが各別に備えられ、
前記光取入口は、建物の外側端部よりも外方側に配置され、
前記外気取入口は、建物の外側端部よりも内方側に配置されている請求項１〜４の何れか１項に記載の採光・給気システム。
【発明の詳細な説明】
【技術分野】
【０００１】
本発明は、屋外から自然光を取り入れて屋内の採光空間に採光可能で、外気を採光空間に給気可能な採光・給気システムに関する。
【背景技術】
【０００２】
この採光・給気システムでは、屋外から自然光を取り入れて屋内の採光空間に採光可能な採光ダクトが備えられ、採光ダクトは、屋外と採光空間とを空気流通可能に連通して、外気を採光空間に給気可能に構成されている（例えば、特許文献１参照。）。特許文献１に記載のシステムでは、自然光を採光空間に取り入れるための採光ダクトを利用して、採光空間への外気の給気を行うようにしている。
【先行技術文献】
【特許文献】
【０００３】
【特許文献１】実開昭６３−１４３８１０号公報
【発明の概要】
【発明が解決しようとする課題】
【０００４】
上記特許文献１に記載のシステムでは、採光空間に対して採光ダクトを連通することで、採光空間に外気を給気している。しかしながら、採光空間に対して採光ダクトを連通するだけでは、採光空間から採光ダクトに空気が逆流する場合があり、採光空間への外気の給気を適切に行えない可能性がある。
【０００５】
この実情に鑑み、本発明の主たる課題は、自然光を採光空間に取り入れることができながら、採光空間への外気の給気も適切に行うことができる採光・給気システムを提供する点にある。
【課題を解決するための手段】
【０００６】
本発明の第１特徴構成は、屋外から自然光を取り入れて屋内の採光空間に採光可能な採光ダクトが備えられ、
前記採光ダクトは、屋外と採光空間とを空気流通可能に連通して、外気を採光空間に給気可能に構成され、
前記採光ダクトにおける採光空間側の連通部には、光透過性を有し、採光空間から前記採光ダクトへの空気の逆流を防止する逆流防止機構が備えられている点にある。
【０００７】
本構成によれば、採光ダクトと採光空間との連通部に逆流防止機構を備えるので、逆流防止機構によって、採光空間から採光ダクトへの空気の逆流を防止しながら、採光ダクトを通して外気を採光空間に適切に給気することができる。しかも、採光ダクトを通して自然光を採光空間に採光する際に、光が逆流防止機構を透過するので、逆流防止機構により光が遮断されることなく、採光空間への採光も適切に行うことができる。
【０００８】
本発明の第２特徴構成は、前記逆流防止機構は、光透過性を有し、採光空間に開口する給気吹出口に空気を流通させる流通路を形成する流通路形成部材と、前記流通路を閉塞可能な逆止弁とが備えられている点にある。
【０００９】
本構成によれば、流通路形成部材にて形成される流通路により、外気を給気吹出口に流通させて、給気吹出口から採光空間へ外気を適切に給気することができる。しかも、逆流防止機構は、流通路を閉塞可能な逆止弁を備えるという簡易な構成としながら、光透過性を有する流通路形成部材を光が透過して、採光空間への採光も適切に行うことができる。
【００１０】
本発明の第３特徴構成は、前記採光ダクトは、複数の採光空間に連通自在に備えられ、
前記採光ダクトにおける複数の採光空間の夫々に対する連通部に、前記逆流防止機構が備えられている点にある。
【００１１】
本構成によれば、複数の採光空間の夫々に対して、採光及び外気の給気を行うことができながら、複数の採光空間の夫々に対する連通部に備えられた逆流防止機構によって、ある採光空間の空気が採光ダクトを通して他の採光空間に流通するのを防止することができる。
【００１２】
本発明の第４特徴構成は、前記採光ダクトは、給気対象の採光空間に対して連通し、且つ、非給気対象の採光空間に対して連通しない状態で備えられ、
前記採光ダクトにおける給気対象の採光空間に対する連通部に、前記逆流防止機構が備えられている点にある。
【００１３】
本構成によれば、例えば、キッチンや居室等は、給気対象の採光空間として、採光及び外気の給気の両方を行いながら、洗面所や便所等は、非給気対象の採光空間として、採光のみを行うことができる。採光に加えて外気の給気も行いたい箇所と採光のみを行いたい箇所とが混在しても、その要望に適切に応えながら、採光及び外気の給気を適切に行うことができる。また、例えば、洗面所や便所等、汚れた空気が存在するダーティーゾーンを非給気対象の採光空間とすることで、ダーティーゾーンの汚れた空気が採光ダクトを通して他の採光空間に流入するのを防止することができる。
【００１４】
本発明の第５特徴構成は、前記採光ダクトには、自然光を取り入れる光取入口と外気を取り入れる外気取入口とが各別に備えられ、
前記光取入口は、建物の外側端部よりも外方側に配置され、
前記外気取入口は、建物の外側端部よりも内方側に配置されている点にある。
【００１５】
本構成によれば、光取入口は、建物の外側端部よりも外方側に配置されているので、自然光を効率よく取り入れることができ、採光効率の向上を図ることができる。外気取入口は、建物の外側端部よりも内方側に配置されているので、外気取入口を通して雨水が浸入するのを防止でき、採光ダクトへの雨水の浸入を防止することができる。
【図面の簡単な説明】
【００１６】
【図１】採光・給気システムの概略構成を示す図
【図２】採光ダクトにおける採光空間側の連通部を示す図
【図３】採光・給気システムを採用した建物の平面図
【図４】別実施形態における採光・給気システムの概略構成を示す図
【図５】別実施形態における採光・給気システムを採用した建物の平面図
【発明を実施するための形態】
【００１７】
本発明に係る採光・給気システムの実施形態を図面に基づいて説明する。
〔第１実施形態〕
この採光・給気システム１００は、図１及び図３に示すように、例えば、マンション等の集合住宅の建物１に適用されている。採光・給気システム１００は、屋外から自然光Ｓを取り入れて屋内の採光空間３に採光可能な採光ダクト４が備えられている。採光ダクト４は、図１に示すように、建物１の天井裏空間２を利用して配置されている。
【００１８】
建物１の屋内には、図１及び図３に示すように、廊下側居室Ｋ１、中居室Ｋ２、便所Ｋ３、洗面所Ｋ４、キッチンＫ５、リビングダイニングＫ６等の複数の部屋が設けられている。建物１の一端側（例えば、南側）には、バルコニーＫ７が備えられ、建物１の他端側（例えば、北側）には、廊下Ｋ８が備えられている。この実施形態では、採光空間３について、例えば、バルコニーＫ７から離れた箇所に位置する中居室Ｋ２、便所Ｋ３、洗面所Ｋ４、キッチンＫ５等の複数の部屋を採光空間３としている。採光空間３をどの部屋とするかについては適宜変更が可能である。
【００１９】
採光ダクト４は、その内部の全長に亘って鏡面材４ａ（図２参照）が備えられ、図１中白抜き矢印にて示すように、屋外から取り入れた自然光Ｓを鏡面材４ａにて反射させて採光空間３に導くように構成されている。採光ダクト４は、採光空間３に自然光Ｓを採光するだけでなく、屋外と採光空間３とを空気流通可能に連通して、外気Ｇを採光空間３に給気可能に構成されている。
【００２０】
採光ダクト４の屋外側には、自然光Ｓを取り入れる光取入口５と外気Ｇを取り入れる外気取入口６とが各別に備えられている。光取入口５は、バルコニーＫ７よりも外方側に配置され、建物１のバルコニーＫ７側の外壁部（外側端部）１ａよりも外方側に配置されている。よって、光取入口５により自然光Ｓを効率よく取り入れることができ、採光効率の向上を図ることができる。外気取入口６は、バルコニーＫ７の天井面（軒天）に配置され、建物１の外壁部（外側端部）１ａよりも内方側に配置されている。よって、外気取入口６を通して雨水が浸入するのを防止でき、採光ダクト４への雨水の浸入を防止することができる。外気取入口６には、外気Ｇに含まれる塵埃等を除去する給気フィルター７が備えられている。
【００２１】
採光ダクト４は、複数の採光空間３の全てに対して連通されているわけでなく、給気対象の採光空間３ａに対して連通し、且つ、非給気対象の採光空間３ｂに対して連通しない状態で備えられている。複数の採光空間３は、給気対象の採光空間３ａと非給気対象の採光空間３ｂとに分けられている。この実施形態では、給気対象の採光空間３ａを中居室Ｋ２及びキッチンＫ５とし、非給気対象の採光空間３ｂを便所Ｋ３及び洗面所Ｋ４としている。このように、汚れた空気が存在するダーティーゾーン（便所Ｋ３及び洗面所Ｋ４）を非給気対象の採光空間３ｂとすることで、ダーティーゾーンの汚れた空気が採光ダクト４を通して他の採光空間３に流入するのを防止することができる。
【００２２】
採光ダクト４の採光空間３側には、導いた自然光Ｓを採光空間３に放光する放光部８が備えられている。上述の如く、採光ダクト４は、給気対象の採光空間３ａに対して連通し、且つ、非給気対象の採光空間３ｂに対して連通しない状態で備えられているので、放光部８としては、給気対象の採光空間３ａに連通して、採光空間３ａに採光だけでなく、外気Ｇの給気も行う採光・給気兼用型の放光部８ａと、非給気対象の採光空間３ｂに連通せず、採光だけを行う採光専用型の放光部８ｂとが備えられている。
【００２３】
採光・給気兼用型の放光部８ａについて説明する。
放光部８ａは、複数の給気対象の採光空間３ａの夫々において、天井部から下方側に突出する状態で備えられている。放光部８ａは、採光ダクト４にて導いた自然光Ｓを下方側に案内して、採光空間３の天井部から放光するように構成されている。放光部８ａには、採光ダクト４における採光空間３への開口部を閉塞して、光を透過可能なガラス天井部９が備えられている。ガラス天井部９は、電気式調光ミラーフィルム等を用いて、光を透過する透過状態と光を透過しない非透過状態とに切替自在に構成されている。ユーザが図外の操作部にてＯＮ／ＯＦＦ操作することで、ガラス天井部９を透過状態と非透過状態とに切り替えて、採光空間３に自然光Ｓを採光させる採光状態と採光させない非採光状態とに切替可能となっている。
【００２４】
採光・給気兼用型の放光部８ａには、給気対象の採光空間３ａに開口する給気吹出口１１が備えられている。給気吹出口１１は、放光部８の横側部に配置されている。このようにして、採光ダクト４は、放光部８ａの給気吹出口１１を通して、給気対象の採光空間３ａに連通している。採光ダクト４は、１つの給気対象の採光空間３ａだけでなく、複数の給気対象の採光空間３ａ（中居室Ｋ２及びキッチンＫ５）の夫々に備えられる放光部８ａの給気吹出口１１を通して、複数の給気対象の採光空間３ａに連通自在に備えられている。
【００２５】
採光・給気兼用型の放光部８ａ（給気対象の採光空間３ａ側の連通部）には、光透過性を有し、給気対象の採光空間３ａから採光ダクト４への空気の逆流を防止する逆流防止機構１０が備えられている。採光ダクト４は、複数の給気対象の採光空間３ａに連通自在に備えられているので、採光ダクト４における複数の給気対象の採光空間３ａの夫々に対する採光・給気兼用型の放光部８ａには、逆流防止機構１０が備えられている。
【００２６】
逆流防止機構１０は、図２に示すように、光透過性を有し、給気吹出口１１に空気を流通させる流通路１２を形成する流通路形成部材１３と、流通路１２を閉塞可能な逆止弁１４とが備えられている。流通路形成部材１３は、ガラス天井部９との間に流通路１２を形成する第１流通路形成部材１３ａと、流通路１２への流入部１２ａを形成する第２流通路形成部材１３ｂとが備えられている。第１流通路形成部材１３ａは、上下方向でガラス天井部９との間に間隔を隔てて配置され、ガラス天井部９を用いながら、給気吹出口１１に向かって水平方向に延びる流通路１２を形成している。第２流通路形成部材１３ｂは、ガラス天井部９の中央側部位から上方側に延びる姿勢にて備えられ、第１流通路形成部材１３ａとの間に流通路１２への流入部１２ａを形成している。
【００２７】
逆止弁１４は、第１流通路形成部材１３ａの端部を支点として揺動自在に備えられている。逆止弁１４は、図２中点線にて示すように、自重によって、その先端側部位が第２流通路形成部材１３ｂに当接する閉塞位置に揺動して流通路１２を閉塞している。逆止弁１４は、図２中実線にて示すように、流通路１２への流入部１２ａからの外気Ｇの流通により閉塞位置から上方側に揺動して流通路１２の流入部１２ａを開放している。このように、逆止弁１４が流通路１２の流入部１２ａを開閉することで、給気対象の採光空間３ａから採光ダクト４への空気の逆流を防止しながら、採光ダクト４を通して外気Ｇを給気対象の採光空間３ａに適切に給気することができる。しかも、逆止弁１４は、自重を利用して流通路１２の流入部１２ａを開閉することができるので、逆止弁１４を開閉駆動させるためのアクチュエータ等を備えなくてもよく、構成の簡素化及びコストの低減を図ることができる。
【００２８】
流通路形成部材１３は、光透過性を有するが、逆止弁１４についても、光透過性を有することができる。これにより、採光ダクト４にて導いた自然光Ｓが、流通路形成部材１３及び逆止弁１４にて遮断されることなく、流通路形成部材１３及び逆止弁１４を透過して、給気対象の採光空間３ａへの採光を適切に行うことができる。流通路形成部材１３及び逆止弁１４は、例えば、ガラス製、又は、アクリル樹脂等の樹脂製とすることができる。また、流通路形成部材１３及び逆止弁１４は、光透過性に加えて、不燃性を有することもできる。ちなみに、逆止弁１４は、光透過性を有しないものでもよい。
【００２９】
採光専用型の放光部８ｂについて説明する。
採光専用型の放光部８ｂは、採光・給気兼用型の放光部８ａに対して、給気吹出口１１、及び、逆流防止機構１０が備えられていないだけであるので、詳細な図示は省略する。採光専用型の放光部８ｂは、採光ダクト４における採光空間３への開口部を閉塞して、光を透過可能なガラス天井部９（図２参照）が備えられているだけである。放光部８ｂにて自然光Ｓを非給気対象の採光空間３ｂに放光させて、非給気対象の採光空間３ｂの採光を適切に行うことができる。ガラス天井部９は、採光ダクト４における採光空間３への開口部を閉塞しているので、非給気対象の採光空間３ｂと採光ダクト４との間で空気の流通はしない。
【００３０】
図３に示すように、採光ダクト４を用いた室内への外気Ｇの給気に加えて、給気口１６を通して外気Ｇを室内に給気できるようにしている。給気口１６は、建物１の一端側（例えば、南側）に位置するリビングダイニングＫ６の壁部、及び、建物１の他端側（例えば、北側）に位置する廊下側居室Ｋ１の壁部に備えられている。また、室内の空気を外部に排気するために、排気ファン１７、排気ダクト１９、及び、排気口２０が備えられている。この実施形態では、排気ファン１７、排気ダクト１９、及び、排気口２０の夫々が２つずつ備えられている。１つの排気ファン１７は、天井裏空間２において、キッチンＫ５に相当する位置に備えられ、キッチンＫ５の天井部から吸い込んだ空気を、排気ダクト１９及び排気口２０を通して、排気Ｅとして外部（屋外）に排出している。もう１つの排気ファン１７は、天井裏空間２において、洗面所Ｋ４に相当する位置に備えられ、洗面所Ｋ４の天井部から空気を吸い込むだけでなく、隣接する便所Ｋ３の排気用吸込部１８を通して、便所Ｋ３の天井部からも空気を吸い込むようにしている。洗面所Ｋ４及び便所Ｋ３から吸い込んだ空気は、排気ダクト１９及び排気口２０を通して、排気Ｅとして外部（屋外）に排出している。
【００３１】
このように、換気方式としては、室内への外気Ｇの給気を、採光ダクト４及び給気口１６を通して自然で行い、外部（屋外）への排気Ｅを、排気ファン１７の機械にて行う第３種換気の方式を採用している。
【００３２】
〔第２実施形態〕
この第２実施形態は、上記第１実施形態において、採光ダクト４における外気取入口６（図１及び図３参照）の配置位置についての別実施形態である。図４及び図５に基づいて、第２実施形態での採光ダクト４における外気取入口２１の配置位置について説明するが、その他の構成については上記第１実施形態と同様であるので、説明は省略する。
【００３３】
図４及び図５に示すように、採光ダクト４の屋外側には、自然光Ｓを取り入れる光取入口５と外気Ｇを取り入れる外気取入口２１とが各別に備えられている。光取入口５は、上記第１実施形態と同様に、バルコニーＫ７よりも外方側に配置され、建物１の外壁部（外側端部）１ａよりも外方側に配置されている。それに対して、外気取入口２１は、廊下Ｋ８の上方側に配置され、建物１の廊下Ｋ８の外壁部（外側端部）１ｂよりも内方側に配置されている。外気取入口２１には、例えば、フィルター付きの給気ベンドキャップが備えられている。
【００３４】
このようにして、採光ダクト４は、光取入口５を建物１の一端側（南側）に配置し、外気取入口２１を建物１の他端側（北側）に配置して、光取入口５と外気取入口２１とが建物１の一端側（南側）と他端側（北側）とに分散配置されている。
【００３５】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３６】
（１）上記実施形態では、逆流防止機構１０における逆止弁１４を自重により閉塞位置に揺動させるようにしているが、例えば、流入部１２ａを閉塞する閉塞位置と流入部１２ａを開放する開放位置とに逆止弁１４を揺動駆動させるアクチュエータ等の駆動部を備えることもできる。
【００３７】
逆止弁１４を揺動駆動させる駆動部を備える場合には、排気ファン１７の作動状態に連動して逆止弁１４を揺動駆動させることができる。例えば、キッチンＫ５では、通常、逆止弁１４を閉塞位置に位置させておき、排気ファン１７が作動されるのに連動して、駆動部が逆止弁１４を開放位置に揺動駆動させる。これにより、排気ファン１７による排気に連動して採光ダクト４による外気Ｇの給気を行うことができる。
また、外気Ｇの給気をＯＮ／ＯＦＦするための操作部を設けることで、駆動部が、操作部の操作に応じて、逆止弁１４を閉塞位置と開放位置とに揺動駆動することもできる。
【００３８】
（２）上記実施形態において、給気吹出口１１をどのような位置に配置させるか、及び、流通路１２の形状をどのような形状とするかは適宜変更が可能である。
【００３９】
（３）上記実施形態では、換気方式として、給気を自然で行い、排気を機械にて行う第３種換気の方式を採用しているが、これに限らず、第１種換気や第２種換気の方式を採用することもできる。
【符号の説明】
【００４０】
１          建物
１ａ        建物の外壁部（建物の外側端部）
１ｂ        建物の外壁部（建物の外側端部）
３          採光空間
３ａ        給気対象の採光空間
３ｂ        非給気対象の採光空間
４          採光ダクト
５          光取入口
６          外気取入口
８ａ        採光・給気兼用型の放光部（採光ダクトにおける採光空間側の連通部）
１０        逆流防止機構
１１        給気吹出口
１２        流通路
１３        流通路形成部材
１４        逆止弁
２１        外気取入口
１００      採光・給気システム
【図１】
2020002536.tif 000003
【図２】
2020002536.tif 000004
【図３】
2020002536.tif 000005
【図４】
2020002536.tif 000006
【図５】
2020002536.tif 000007